(57)【要約】  情報管理システムは、ユーザの頭部に装着可能なフレームと、フレームに搭載され、現場に関する現場情報を生成する現場情報生成部と、フレームに搭載され、第１の報知動作を実行可能な報知部と、制御部と、を備える。制御部は、現場情報生成部から現場情報を取得する取得部と、取得部によって取得された現場情報に対応する対象情報が記憶装置に記憶されているのか否かに関係する判断を行う判断部と、判断部によって、対象情報が記憶装置に記憶されていることと、対象情報が記憶装置に記憶されていないことと、のうちの一方である第１の判断が行われる場合に、報知部に、第１の報知動作を実行させるための第１の実行指示を供給する指示供給部と、を備える。報知部は、指示供給部から第１の実行指示を取得する場合に、第１の報知動作を実行する。
2019186977.tif 000002
【特許請求の範囲】
【請求項１】
ユーザの頭部に装着可能なフレームと、
前記フレームに搭載され、現場に関する現場情報を生成する現場情報生成部と、
前記フレームに搭載され、第１の報知動作を実行可能な報知部と、
制御部と、を備え、
前記制御部は、
前記現場情報生成部から前記現場情報を取得する取得部と、
前記取得部によって取得された前記現場情報に対応する対象情報が記憶装置に記憶されているのか否かに関係する判断を行う判断部と、
前記判断部によって、前記対象情報が前記記憶装置に記憶されていることと、前記対象情報が前記記憶装置に記憶されていないことと、のうちの一方である第１の判断が行われる場合に、前記報知部に、第１の報知動作を実行させるための第１の実行指示を供給し、前記判断部によって、前記対象情報が前記記憶装置に記憶されていることと、前記対象情報が前記記憶装置に記憶されていないことと、のうちの他の一方である第２の判断が行われる場合に、前記第１の実行指示を供給しない、指示供給部と、を備え、
前記報知部は、前記指示供給部から前記第１の実行指示を取得する場合に、前記第１の報知動作を実行する、
情報管理システム。
【請求項２】
前記報知部は、前記フレームが前記ユーザの前記頭部に装着された状態で、前記ユーザの眼に対向する範囲に配置される表示部を含み、
前記第１の実行指示は、メッセージを表わすメッセージデータを含み、
前記第１の報知動作は、前記第１の実行指示に含まれる前記メッセージデータによって表わされる前記メッセージを前記表示部に表示させることを含む、
請求項１に記載の情報管理システム。
【請求項３】
前記メッセージは、前記対象情報の少なくとも一部を含む、
請求項２に記載の情報管理システム。
【請求項４】
前記指示供給部は、前記判断部によって前記第２の判断が行われる前記場合に、前記報知部に、前記第１の報知動作とは異なる第２の報知動作を実行させるための第２の実行指示を供給し、
前記報知部は、前記指示供給部から前記第２の実行指示を取得する場合に、前記第２の報知動作を実行する、
請求項１から３のいずれか一項に記載の情報管理システム。
【請求項５】
前記制御部は、さらに、前記取得部によって取得された前記現場情報を前記記憶装置に記憶させる記憶制御部を備える、
請求項１から４のいずれか一項に記載の情報管理システム。
【請求項６】
前記情報管理システムは、
前記フレームと前記現場情報生成部と前記報知部とを備える端末装置と、
前記端末装置とは別個のサーバであって、前記制御部と、入力部と、を備えるサーバと、
を有しており、
前記指示供給部は、前記入力部に報知開始指示が入力される場合に、前記報知部に、特定の報知動作を実行させるための特定の実行指示を供給し、
前記報知部は、前記指示供給部から前記特定の実行指示を取得する場合に、前記特定の報知動作を実行する、
請求項１から５のいずれか一項に記載の情報管理システム。
【請求項７】
前記現場情報生成部は、前記現場に関係する現場画像を生成するための画像生成部を含み、
前記現場情報は、前記現場画像を含む、
請求項１から６のいずれか一項に記載の情報管理システム。
【請求項８】
前記現場情報生成部は、前記現場の位置を特定するための位置情報を生成するための位置情報生成部を含み、
前記現場情報は、前記位置情報を含む、
請求項１から７のいずれか一項に記載の情報管理システム。
【請求項９】
前記現場情報生成部は、前記現場で発生された音声を表わす音声情報を生成するための音声情報生成部を含み、
前記現場情報は、前記音声情報を含む、
請求項１から８のいずれか一項に記載の情報管理システム。
【発明の詳細な説明】
【技術分野】
【０００１】
本明細書によって開示される技術は、現場に関係する情報を管理するための情報管理システムに関する。
【背景技術】
【０００２】
例えば、特許第４７３６０９６号（以下、特許文献１という）には、監視カメラが撮影した現場の映像を解析して特徴データを抽出し、抽出された特徴データの照合結果が不許可であると判定される場合に、不審者検出通知を行うセキュリティ監視システムが開示されている。
【発明の概要】
【発明が解決しようとする課題】
【０００３】
特許文献１の技術による場合、不審者検出通知が行われたことに伴い、監視カメラが映像を撮影する現場に警備担当者等を派遣しようとしても、警備担当者等が現場に居合わせない可能性がある。その後、警備担当者等が現場に到着したとしても、その時点で不審者等が現場から離れている可能性があり、セキュリティ確保の実効性が十分に図られないおそれがある。【０００４】
監視カメラを、ユーザ（警備担当者等）が持ち歩くことができる携帯用カメラに置き換えることも考えられる。しかしながら、その場合であっても、現場に存在する警備担当者等が携帯用カメラを手に持っていると、ユーザが両手を使えず、不審者の確保等、現場において迅速な対応が必要な場合に対応が遅れる可能性がある。【０００５】
本明細書では、現場に存在するユーザが、現場の状況に応じた必要な対応を適切に行い得る技術を開示する。
【課題を解決するための手段】
【０００６】
本明細書によって開示される情報管理システムは、ユーザの頭部に装着可能なフレームと、前記フレームに搭載され、現場に関する現場情報を生成する現場情報生成部と、前記フレームに搭載され、第１の報知動作を実行可能な報知部と、制御部と、を備える。前記制御部は、前記現場情報生成部から前記現場情報を取得する取得部と、前記取得部によって取得された前記現場情報に対応する対象情報が記憶装置に記憶されているのか否かに関係する判断を行う判断部と、前記判断部によって、前記対象情報が前記記憶装置に記憶されていることと、前記対象情報が前記記憶装置に記憶されていないことと、のうちの一方である第１の判断が行われる場合に、前記報知部に、第１の報知動作を実行させるための第１の実行指示を供給し、前記判断部によって、前記対象情報が前記記憶装置に記憶されていることと、前記対象情報が前記記憶装置に記憶されていないことと、のうちの他の一方である第２の判断が行われる場合に、前記第１の実行指示を供給しない、指示供給部と、を備える。前記報知部は、前記指示供給部から前記第１の実行指示を取得する場合に、前記第１の報知動作を実行する。【０００７】
上記の構成によると、ユーザの頭部に装着可能なフレームに、現場情報生成部と、報知部と、が備えられる。そのため、フレームを頭部に装着したユーザが現場に存在する場合において、現場情報生成部は、ユーザが存在する現場に関係する現場情報を生成可能であるとともに、報知部は、第１の報知動作を実行することができる。報知部が第１の報知動作を行うことにより、現場に存在するユーザが、当該現場において生成された現場情報に対応する対象情報が記憶装置に記憶されていること（又は、対象情報が記憶装置に記憶されていないこと）を把握することができる。さらに、上記の構成によると、フレームは、ユーザの頭部に装着可能であるため、第１の報知動作が行われた時点で、ユーザが両手を現場情報の生成以外の用途のために使える可能性が高い。そのため、現場に存在するユーザ（例えば警備担当者等）が、現場の状況に応じた必要な対応を適切に行い得る。【０００８】
ここで、上記の「現場情報」は、例えば、画像（例えば、人物の顔の画像、風景画像、パスポートや運転免許証等の各種書類等の画像等。動画、静止画の少なくとも一方を含む）、現場の座標、音、匂い、現場に存在する物質のｐｈ値、現場に存在する物質のアルコール含有量、現場に存在する血液の成分データ、現場に存在する物質から特定されるＤＮＡデータ、ユーザの状態（例えば、脈拍、発汗、血圧等）を示すユーザ状態情報、等、現場に関係する各種の情報を含んでもよい。上記の「現場情報生成部」は、例えば、カメラ、マイク、各種センサ（座標情報、匂い、ｐｈ値、アルコール含有量、血液センサ、ＤＮＡ検出手段等を検出するセンサ）等、現場に関係する情報を収集可能な各種ユニットを含んでもよい。また、「報知部」は、表示部、音声出力部、振動発生部のうちの少なくとも１つを含んでもよい。また、「第１の報知動作」は、表示部へのメッセージ（文字、画像等を含む）の表示、音声の出力、振動の発生のうちの少なくとも１つを含んでもよい。【０００９】
前記報知部は、前記フレームが前記ユーザの前記頭部に装着された状態で、前記ユーザの眼に対向する範囲に配置される表示部を含んでもよい。前記第１の実行指示は、メッセージを表わすメッセージデータを含んでもよい。前記第１の報知動作は、前記第１の実行指示に含まれる前記メッセージデータによって表わされる前記メッセージを前記表示部に表示させることを含んでもよい。【００１０】
この構成によると、フレームを頭部に装着したユーザが、眼に対向する範囲に配置された表示部に表示されるメッセージを見ることにより、現場において生成された現場情報に対応する対象情報が記憶装置に記憶されていること（又は、対象情報が記憶装置に記憶されていないこと）を把握することができる。ユーザは、メッセージを見るために、視線を他の範囲（例えば手元）に移動させる必要もない。そのため、ユーザが、対象情報が記憶装置に記憶されている（又はされていない）ことを迅速に把握し得る。現場に存在するユーザが、現場の状況に応じた必要な対応をより適切に行い得る。【００１１】
ここで、「メッセージ」は、対象情報の一部（即ち、対象情報に含まれる画像、文字情報等）であってもよいし、特定の注意表示や特定色のサイン等、対象情報に含まれない情報であってもよい。【００１２】
前記メッセージは、前記対象情報の少なくとも一部を含んでもよい。【００１３】
この構成によると、ユーザは、眼に対向する範囲に表示されるメッセージを見ることで、対象情報が記憶装置に記憶されている（又はされていない）ことを把握できるとともに、対象情報の少なくとも一部の内容も併せて把握することができる。ユーザが、視線を他の範囲（例えば手元）移動させることなく、現場の状況をより適切に把握し得る。【００１４】
前記指示供給部は、前記判断部によって前記第２の判断が行われる前記場合に、前記報知部に、前記第１の報知動作とは異なる第２の報知動作を実行させるための第２の実行指示を供給してもよい。前記報知部は、前記指示供給部から前記第２の実行指示を取得する場合に、前記第２の報知動作を実行してもよい。【００１５】
この構成によると、報知部が第２の報知動作を行うことにより、現場に存在するユーザが、当該現場において生成された現場情報に対応する対象情報が記憶装置に記憶されていないこと（又は、対象情報が記憶装置に記憶されていること）を把握することができる。そのため、現場に存在するユーザ（例えば警備担当者等）が、現場の状況に応じた必要な対応をより適切に行い得る。【００１６】
前記制御部は、さらに、前記取得部によって取得された前記現場情報を前記記憶装置に記憶させる記憶制御部を備えてもよい。【００１７】
この構成によると、取得部によって現場情報が取得されると、取得された現場情報が記憶装置に記憶される。記憶装置には、現場において生成された様々な現場情報が蓄積され得る。記憶装置に多くの現場に関する情報を記憶させることができる。その結果、制御部は、より多くの情報に基づいて、現場情報に対応する対象情報が記憶装置に記憶されているのか否かを適切に判断し得る。【００１８】
前記情報管理システムは、前記フレームと前記現場情報生成部と前記報知部とを備える端末装置と、前記端末装置とは別個のサーバであって、前記制御部と、入力部と、を備えるサーバと、を有していてもよい。前記指示供給部は、前記入力部に報知開始指示が入力される場合に、前記報知部に、特定の報知動作を実行させるための特定の実行指示を供給してもよい。前記報知部は、前記指示供給部から前記特定の実行指示を取得する場合に、前記特定の報知動作を実行してもよい。【００１９】
この構成によると、端末装置は、サーバの入力部に報知開始指示が入力されることに伴って供給される特定の実行指示を取得すると、報知部に特定の報知動作を実行させる。そのため、端末装置とサーバとが離間して配置されている場合であっても、サーバの利用者（例えばシステムの管理者等）の所望のタイミングで報知開始指示を入力すれば、端末装置に特定の報知動作を実行させることができる。端末装置が、サーバの利用者によって適切に管理され得る。【００２０】
前記現場情報生成部は、前記現場に関係する現場画像を生成するための画像生成部を含んでもよい。前記現場情報は、前記現場画像を含んでもよい。【００２１】
この構成によると、現場情報生成部は、画像生成部によって生成された現場画像を含む現場情報を生成する。現場画像は、例えば、現場に存在する人、物、風景、等の画像を含み得る。制御部は、そのような現場画像に含まれる人、物、風景、等の画像に基づいて、対象情報が記憶装置に記憶されているのか否かを判断し、報知部に第１の実行指示を供給することができる。【００２２】
前記現場情報生成部は、前記現場の位置を特定するための位置情報を生成するための位置情報生成部を含んでもよい。前記現場情報は、前記位置情報を含んでもよい。【００２３】
この構成によると、現場情報生成部は、位置情報生成部によって生成された位置情報を含む現場情報を生成する。位置情報は、例えば、現場の座標情報、現場の住所等、現場の位置を特定可能な情報を含み得る。制御部は、そのような位置情報に基づいて、対象情報が記憶装置に記憶されているのか否かを判断し、報知部に第１の実行指示を供給することができる。【００２４】
前記現場情報生成部は、前記現場で発生された音声を表わす音声情報を生成するための音声情報生成部を含んでもよい。前記現場情報は、前記音声情報を含んでもよい。【００２５】
この構成によると、現場情報生成部は、音声情報生成部によって生成された音声情報を含む現場情報を生成する。音声情報は、例えば、現場で発生する様々な音声（例えば、背景音、人の話し声等）を含み得る。制御部は、そのような音声情報に基づいて、対象情報が記憶装置に記憶されているのか否かを判断し、報知部に第１の実行指示を供給することができる。【００２６】
なお、上記の情報処理システムを実現するための制御方法、コンピュータプログラム、及び、当該コンピュータプログラムを格納するコンピュータ読取可能記録媒体も、新規で有用である。
【図面の簡単な説明】
【００２７】
【図１】情報管理システム２の概要を示す。
【図２】端末装置１０の概要を示す。
【図３】端末装置１０のブロック図を示す。
【図４】サーバ１００のブロック図を示す。
【図５】第１実施例において、通常時において端末装置１０及びサーバ１００が実行する処理のシーケンス図を示す。
【図６】通常時の端末装置１０のユーザＵ１の表示部１２越しの視界範囲３００の例を示す。
【図７】通常時の端末装置１０のユーザＵ１の視界範囲３００に枠画像３１０及びメッセージ３２０が表示された様子を示す。
【図８】指揮モード時において端末装置１０及びサーバ１００が実行する処理のシーケンス図を示す。
【図９】指揮モード時においてサーバ１００の表示部１０２に表示される指揮画面４００の例を示す。
【図１０】指揮モード時において端末装置１０のユーザＵ１の視界範囲５００に枠画像５１０及びメッセージ５２０が表示された様子を示す。
【図１１】第２実施例において、通常時において端末装置１０及びサーバ１００が実行する処理のシーケンス図を示す。
【発明を実施するための形態】
【００２８】
（第１実施例）
（情報管理システム２の構成；図１）
図１に示される情報管理システム２は、警備担当者、捜査担当者等であるユーザＵ１が現在位置する現場２００の情報を管理するとともに、不審者、犯罪前科者、容疑者等（以下では一括して「容疑者」と呼ぶ場合がある）に関する情報をユーザＵ１に提供するためのシステムである。本実施例の情報管理システム２は、犯罪捜査、警備等を支援するシステムであると言い換えてもよい。図１の情報管理システム２は、端末装置１０と、サーバ１００と、を備える。端末装置１０は、サーバ１００との間で、インターネット４を介したＷｉ−Ｆｉ通信を実行可能である。端末装置１０は、現場２００に位置するユーザＵ１の頭部に装着されている。図１の例では、サーバ１００と通信可能な１個の端末装置１０のみが図示されているが、実際の情報管理システム２では、サーバ１００と通信可能な複数個の端末装置が備えられていてもよい。その場合、複数個の端末装置のそれぞれが、異なるユーザの頭部に装着されていてもよい。
【００２９】
（端末装置１０の構成；図１〜図３）
図１に示す端末装置１０は、現場２００に位置するユーザＵ１の頭部に装着して用いられる画像表示装置（いわゆるヘッドマウントディスプレイ）である。図２に示されるように、端末装置１０は、フレーム１１と、表示部１２と、カバー１３と、操作部１４と、センサ３０と、マイク３２と、スピーカ３４と、カメラ３６と、振動発生部３８と、コントロールボックス４０と、を備える。
【００３０】
フレーム１１は、略眼鏡フレーム状の部材である。ユーザＵ１は、顔の前面側から眼鏡を装着するようにフレーム１１を装着することによって、端末装置１０を頭部に装着することができる。
【００３１】
表示部１２は、透光性のディスプレイであり、ユーザＵ１がフレーム１１を頭部に装着した場合に、ユーザＵ１の眼に対向する範囲に備えられる。表示部１２は、左右２個の導光板１２ａ及び投影部１２ｂを備える。
【００３２】
導光板１２ａは、透光性の基板である。導光板１２ａは例えばガラス、透光性の樹脂等によって形成される。本実施例では、ユーザＵ１が端末装置１０を頭部に装着すると、２枚の導光板１２ａが、ユーザの両眼にそれぞれ対向する範囲に配置される。ユーザＵ１は、導光板１２ａ越しに周囲を視認することができる。また、導光板１２ａには、投影部１２ｂから投影された画像を表わす光を眼に向かって反射させるためのハーフミラー部材（図示しない）が内蔵されている。
【００３３】
投影部１２ｂは、各導光板１２ａに画像を表わす光を投影する部材である。２個の投影部１２ｂは、左右の導光板１２ａのそれぞれ横側に設けられている。本実施例では、投影部１２ｂは、制御部２０（図３参照）の指示に従って、所定の画像（例えば、図６の枠画像３１０、及びメッセージ３２０等）を導光板１２ａに投影する。これにより、ユーザＵ１は、導光板１２ａ越しにユーザＵ１が視認可能な現実世界の対象物又は／及び空間の所定の位置に、上記所定の画像が合成されたかの様に、現実世界の対象物又は／及び空間と所定の画像とを見ることができる。以下、本明細書では、制御部２０が、投影部１２ｂに画像の投影を指示することによって、導光板１２ａに所望の画面を表示させることを説明する場合に、投影部１２ｂ及び導光板１２ａの動作の説明を省略し、単に「制御部２０が表示部１２に画像を表示させる」などと表現する場合がある。
【００３４】
カバー１３は、２枚の導光板１２ａの前方に配置される透光性の保護部材である。即ち、端末装置１０を頭部に装着しているユーザＵ１は、導光板１２ａ及びカバー１３越しに周囲を視認することができる。
【００３５】
操作部１４は、ボタン、ダイヤル等を含む。ユーザＵ１は、操作部１４を操作して、端末装置１０に様々な操作を入力することができる。
【００３６】
センサ３０は、複数のセンサを含む。センサ３０には、端末装置１０を装着中のユーザＵ１の脈拍数、発汗状態等を検出するためのセンサ（即ち生体センサ）、現場２００の土や液体等のｐｈ値を測定するためのセンサ（即ちｐｈセンサ）、現場２００で発見された血液の成分や血液型等を検出するためのセンサ（即ち血液センサ）、現場２００に存在する物質の匂い成分を検出するためのセンサ（即ち匂いセンサ）、現場２００に存在する生物の遺伝子情報を検出するためのセンサ（即ちＤＮＡセンサ）、のうちの少なくとも１個以上を含んでいる。センサ３０は、フレーム１１の一部に取り付けられている。
【００３７】
マイク３２は、端末装置１０を装着するユーザＵ１の声や周囲の音（例えば現場２００の背景音、現場２００の他人の話し声）など、各種音声を入力するための音声入力手段である。マイク３２はフレーム１１の一部に取り付けられている。ユーザＵ１がフレーム１１を頭部に装着すると、マイク３２は、ユーザＵ１の口元付近に配置される（図１参照）。ユーザＵ１はマイク３２を動かして配置位置を適宜変更することも可能である。
【００３８】
スピーカ３４は、アラーム音等、各種音声を出力するための音声出力手段である。スピーカ３４もフレーム１１の一部に取り付けられている。
【００３９】
カメラ３６は、端末装置１０を装着するユーザＵ１の視界範囲に対応する範囲（即ち現場２００の様子）を撮影するためのカメラである。図２の例では、３個のカメラ３６が設けられている。カメラ３６の数は３個に限られず、１個又は２個でもよい。
【００４０】
振動発生部３８は、振動を発生させる駆動部材である。振動発生部３８は小型のモータ等を含む。振動発生部３８は、フレーム１１の一部に内蔵されている。
【００４１】
コントロールボックス４０は、フレーム１１の一部に内蔵されている制御装置である。コントロールボックス４０には、端末装置１０の制御系統を司る各要素が収容されている。具体的に言うと、図３に示されるように、コントロールボックス４０には、制御部２０と、メモリ２２と、ＧＰＳ受信機２４と、Ｗｉ−Ｆｉインターフェース２６とが収容されている。以下では、インターフェースのことを「Ｉ／Ｆ」と記載する。
【００４２】
制御部２０は、メモリ２２に記憶されているプログラムに従って様々な処理を実行する。また、制御部２０は、図３に示すように、表示部１２、操作部１４、センサ３０、マイク３２、スピーカ３４、カメラ３６、振動発生部３８、メモリ２２、ＧＰＳ受信機２４、及び、Ｗｉ−ＦｉＩ／Ｆ２６と電気的に接続されており、これらの各要素の動作を制御することができる。
【００４３】
メモリ２２は、ＲＯＭ、ＲＡＭ、ハードディスク等によって構成される。メモリ２２は、様々なプログラムを記憶している。また、メモリ２２は、端末装置１０自身に割り当てられている固有の端末ＩＤも記憶している。また、メモリ２２は、制御部２０が実行する処理に伴って生成される様々な情報を記憶する領域も有している。
【００４４】
ＧＰＳ受信機２４は、ＧＰＳ衛星（図示しない）から信号を受信することにより、自機の位置を特定するための装置である。ＧＰＳ受信機２４は、自機の位置を示す位置情報を生成することができる。
【００４５】
Ｗｉ−ＦｉＩ／Ｆ２６は、インターネット４を介してサーバ１００とＷｉ−Ｆｉ通信を実行するためのＩ／Ｆである。
【００４６】
（サーバ１００の構成；図１、図４）
図１に示すサーバ１００は、情報管理システム２の管理者によって設置されるサーバである。図４に示すように、サーバ１００は、表示部１０２と、操作部１０４と、Ｗｉ−ＦｉＩ／Ｆ１０６と、制御部１２０と、メモリ１２２と、を備えている。
【００４７】
表示部１０２は、様々な情報を表示するためのディスプレイである。操作部１０４は、キーボード及びマウスを備える。サーバ１００の利用者（例えば、捜査指揮者、警備指揮者等）は、操作部１０４を操作することによって、様々な指示をサーバ１００に入力可能である。
【００４８】
Ｗｉ−ＦｉＩ／Ｆ１０６は、インターネット４を介して端末装置１０とＷｉ−Ｆｉ通信を実行するためのＩ／Ｆである。
【００４９】
制御部１２０は、メモリ１２２に記憶されているプログラムに従って様々な処理を実行する。また、制御部１２０は、図４に示されるように、表示部１０２、操作部１０４、Ｗｉ−ＦｉＩ／Ｆ１０６、及び、メモリ１２２と電気的に接続されており、これらの各要素の動作を制御することができる。
【００５０】
メモリ１２２は、ＲＯＭ、ＲＡＭ、ハードディスク等によって構成される。メモリ１２２は、様々なプログラムを記憶している。また、メモリ１２２は、プログラムの他に、データベース１３０を記憶している。データベース１３０は、端末装置１０を含む複数個の端末装置から受信された現場情報を記憶することによって形成されるデータ群である。データベース１３０には、各現場の各種情報が蓄積されている。また、データベース１３０には、現場情報の他に、捜査情報（例えば、不審者、犯罪前科者、容疑者等（以下では容疑者等）の個人データ、目撃データ、等）も蓄積されている。また、他の実施例（例えば、後述の第２、第４実施例）では、データベース１３０には、捜査情報に代えて、通行を許可されている人物（以下では「通行許可者」と呼ぶ）の情報が記憶されていてもよい。
【００５１】
（情報管理システム２が実行する処理；図５〜図１０）
次いで、図５〜図１０を参照して、本実施例の情報管理システム２が実行する処理の内容を説明する。本実施例の情報管理システム２（即ち端末装置１０及びサーバ１００）は、通常時には図５に示される各処理を実行する。そして、サーバ１００に所定の指揮開始操作が入力され、サーバ１００が指揮モードで動作を介した場合には、端末装置１０及びサーバ１００は、図５の各処理と並行して、図８に示される各処理を実行する。
【００５２】
（通常時の処理；図５〜図７）
図５を参照して、通常時において、端末装置１０及びサーバ１００が実行する処理について説明する。端末装置１０及びサーバ１００の電源がオンされると、図５の処理が開始される。
【００５３】
図５の処理が開始された時点では、ユーザＵ１は、端末装置１０を装着した状態で現場２００に存在している。Ｓ１０では、端末装置１０の制御部２０は、現場２００に関する現場情報を生成する。具体的に言うと、Ｓ１０では、制御部２０は、カメラ３６によって撮影される現場画像（動画又は静止画）、センサ３０によって検出される各種のセンサ検出情報（例えば、端末装置１０を装着中のユーザＵ１の脈拍数、発汗状態等のユーザ生体情報、現場２００の土や液体等のｐｈ値、現場２００で発見された血液の成分、血液型等、現場２００に存在する物質の匂い成分を表わす情報、現場２００に存在する生物の遺伝子情報、など）、マイク３２によって検出される現場２００の音声情報、ＧＰＳ受信機２４によって生成される位置情報、等の各種情報を取得するとともに、取得された各種情報、及び、現在時刻等の情報に基づいて、現場２００の状況を表わす現場情報を生成する。即ち、Ｓ１０で生成される現場情報には、上記の現場画像、センサ検出情報、音声情報、位置情報等が含まれる。
【００５４】
図６を参照し、Ｓ１０で生成される現場情報の一例を説明する。図６は、Ｓ１０の時点における、表示部１２越しのユーザＵ１の視界範囲３００を示す。上記の通り、カメラ３６は、図６の視界範囲３００に相当する現場画像を生成している。図６に示すように、視界範囲３００には、人物Ｍ１が含まれている。カメラ３６によって生成される現場画像にも、人物Ｍ１の画像が含まれる。このように、Ｓ１０で生成される現場情報は、その時点におけるユーザＵ１の視界範囲３００を表わす現場画像が含まれる。
【００５５】
次いで、図５のＳ１２では、制御部２０は、Ｓ１０で生成された現場情報を、Ｗｉ−ＦｉＩ／Ｆ２６を介して、Ｗｉ−Ｆｉ通信を利用して、サーバ１００に供給する。
【００５６】
サーバ１００の制御部１２０は、Ｓ１２において、現場情報を取得すると、Ｓ１４において、取得された現場情報をデータベース１３０内に記憶させる。これにより、データベース１３０内には新たな現場情報が蓄積される。
【００５７】
次いで、Ｓ１６では、制御部１２０は、データベース１３０内を参照し、Ｓ１２で取得された現場情報に対応する対象情報が存在するか否かを判断する。具体的に言うと、Ｓ１６では、制御部１２０は、Ｓ１２で取得された現場情報に含まれる現場画像、位置情報、センサ検出情報、音声情報等に基づいて、それらの各情報と一致する情報、もしくは、それらの各情報に関係する情報に対応付けられて記憶されている捜査情報（例えば、容疑者の個人データ、目撃データ、等）が存在するか否かを判断する。データベース１３０内にそのような捜査情報が記憶されている場合、制御部１２０は、Ｓ１６でＹＥＳと判断し、Ｓ１８に進む。Ｓ１６でＹＥＳと判断された際に発見された捜査情報のことを「対象情報」と呼ぶ。例えば、Ｓ１２で取得された現場情報中の現場画像に人物の画像が含まれる場合において、その人物の画像と一致する人物の画像を含む容疑者の個人データ（即ち捜査情報の一例）がデータベース１３０内に記憶されていた場合、制御部１２０は、Ｓ１６でＹＥＳと判断する。その場合、その容疑者の個人データが「対象情報」の一例である。また他の例では、Ｓ１２で取得された現場情報中の現場画像に身分証明書（例えばパスポート、運転免許証等）の画像が含まれる場合において、その身分証明書に記載された本人確認情報と一致する本人確認情報を含む容疑者の個人データ（捜査情報の一例）がデータベース１３０内に記憶されていた場合、制御部１２０は、Ｓ１６でＹＥＳと判断する。その場合も、その容疑者の個人データが「対象情報」の一例である。
【００５８】
一方、データベース１３０内にそのような対象情報が記憶されていない場合には、制御部１２０は、Ｓ１６でＮＯと判断し、Ｓ２４に進む。
【００５９】
Ｓ１８では、制御部１２０は、第１の実行指示を生成する。第１の実行指示は、端末装置１０に、所定の第１の報知動作を実行させることを指示するコマンドである。第１の実行指示は、対象情報の少なくとも一部（例えば、容疑者の個人データに含まれる顔画像、テキストデータ等）を示すメッセージデータを含む。
【００６０】
次いで、Ｓ２０では、制御部１２０は、Ｓ１８で生成された第１の実行指示を、Ｗｉ−ＦｉＩ／Ｆ１０６を介して、Ｗｉ−Ｆｉ通信を利用して、端末装置１０に供給する。
【００６１】
端末装置１０の制御部２０は、Ｓ２０において、第１の実行指示を取得すると、Ｓ２２において、取得された第１の実行指示に従って、第１の報知動作を実行する。第１の報知動作は、第１の実行指示に含まれるメッセージデータによって表わされるメッセージ（即ち、対象情報の一部）を表示部１２に表示させること、その他の画像等を表示部１２に表示させること、所定の報知音をスピーカ３４から出力させること、及び、振動発生部３８に報知を示す振動を発生させること、を含む。Ｓ２２で第１の報知動作が行われることにより、ユーザＵ１は、現場２００に関係する対象情報が存在すること（例えば、現場２００に関係する容疑者等が存在すること）を把握することができる。また、ユーザＵ１は、表示部１２に表示されたメッセージ等を見ることにより、対象情報の一部（例えば、容疑者等の顔画像等）を把握することができる。
【００６２】
図７を参照して、Ｓ２２で実行される第１の報知動作の一例を説明する。図７は、上述の図６の視界範囲３００の現場画像が生成された後（Ｓ１０）のＳ２２の時点における、表示部１２越しのユーザＵ１の視界範囲３００を示す。図７に示すように、視界範囲３００には、図６と同様に人物Ｍ１が含まれている。さらに、図７の視界範囲３００には、人物Ｍ１の顔の周囲を囲う枠画像３１０が表示されている。さらに、図７の視界範囲３００には、メッセージ３２０が表示されている。メッセージ３２０は、人物Ｍ１の顔画像、名前、性別、身長、血液型、誕生日、容疑情報等、人物Ｍ１（即ち容疑者）の個人データを表わす。即ち、図７の例では、Ｓ２２において、人物Ｍ１が容疑者であることを報知するための第１の報知動作が行われていると言うことができる。図７では、制御部２０が、カメラ３６の撮影画像に基づいて、人物Ｍ１の顔の周囲に配置されるように表示位置を計算して、枠画像３１０を表示部１２に表示させることによって、視界範囲３００内に枠画像３１０を表示させている。同様に、制御部２０が、カメラ３６の撮影画像に基づいて、人物Ｍ１の隣に配置されるように表示位置を計算して、メッセージ３２０を表示部１２に表示させることによって、視界範囲３００内にメッセージ３２０を表示させている。メッセージ３２０は、第１の実行指示に含まれるメッセージデータによって表わされる。ユーザＵ１は、図７に示されるように、視界範囲３００内に枠画像３１０及びメッセージ３２０が表示されることにより、視界範囲３００内に存在する人物Ｍ１が容疑者であることを把握することができる。
【００６３】
制御部２０は、図５のＳ２２で第１の報知動作を所定期間行った後、Ｓ１０に戻る。戻ったＳ１０では、制御部２０は、再びその時点の現場情報を生成する。制御部２０は、生成された現場情報をサーバ１００に供給する（Ｓ１２）。
【００６４】
一方、Ｓ２４（即ち、Ｓ１６でＮＯと判断された場合）では、サーバ１００の制御部１２０は、第１の実行指示（Ｓ１８参照）を生成しない。そのため、この場合、端末装置１０では、第１の報知動作は行われない。この場合も、制御部２０は、Ｓ１０に戻る。
【００６５】
上記の通り、本実施例では、通常時において、端末装置１０の制御部２０は、定期的に現場情報を生成してサーバ１００に供給している（Ｓ１０、Ｓ１２参照）。そして、制御部２０は、現場情報をサーバ１００に供給した結果、サーバ１００から第１の実行指示を取得すると（Ｓ２０）、取得された第１の実行指示に従って第１の報知動作を実行する（Ｓ２２）。また、サーバ１００の制御部１２０は、定期的に端末装置１０から供給される現場情報を取得し（Ｓ１２）、取得された現場情報をデータベース１３０に記憶させる（Ｓ１４）。そして、制御部１２０は、データベース１３０内に対象情報が存在すると判断される場合（Ｓ１６でＹＥＳ）に、第１の実行指示を生成し（Ｓ１８）、第１の実行指示を端末装置１０に供給する（Ｓ２０）。このように、本実施例では、端末装置１０の制御部２０、及び、サーバ１００の制御部１２０は、図５のＳ１０〜Ｓ２４の各処理を繰り返し実行している。
【００６６】
（指揮モード時の処理；図８〜図１０）
図８を参照して、指揮モード時において、端末装置１０及びサーバ１００が実行する処理について説明する。端末装置１０及びサーバ１００の電源がオンされた後で、サーバ１００の利用者（例えば、捜査指揮者、警備指揮者等）は、操作部１０４を操作し、所定の指揮開始指示を入力する。操作部１０４に指揮開始指示が入力されると、サーバ１００の制御部１２０は、指揮モードを開始する。ここで、「指揮モード」とは、サーバ１００の表示部１０２にデータベース１３０内の情報を表示させるとともに、サーバ１００の利用者が操作部１０４に入力する指示に従って、端末装置１０に特定の報知動作を行わせ、端末装置１０を装着するユーザＵ１を指揮するためのモードである。指揮モードが開始されると、図５の各処理（即ち通常時の処理）と並行して、図８の各処理が開始される。
【００６７】
Ｓ５０では、サーバ１００の利用者は、操作部１０４を操作し、所定の表示指示を入力する。
【００６８】
Ｓ５０で表示指示が入力されると、Ｓ５２において、サーバ１００の制御部１２０は、データベース１３０内に蓄積された情報（現場情報）の一部、及び、現在稼働中の端末装置１０の状態を示す指揮画面（図９参照）を表示部１０２に表示させる。
【００６９】
図９を参照して、Ｓ５２で表示される指揮画面４００の一例を説明する。図９に示される指揮画面４００では、データベース１３０内に蓄積された情報の一部を含む蓄積データ４１０と、現在稼働中の端末装置１０の状態を示す現場データ４２０と、が表示されている。蓄積データ４１０は、データベース１３０に蓄積されている捜査情報の一部（例えば、容疑者の個人データ等）、及び、現場情報の一部（例えば、犯罪が行われた場所を示す位置情報等）を含む。現場データ４２０は、端末装置１０から取得される現場情報に基づいて表示される。現場データ４２０は、端末装置１０の端末ＩＤ、端末装置１０が存在する位置を示す位置情報、現時点の現場画像（即ち、ユーザＵ１の視界範囲に相当する範囲の画像）等を含む。図９の例では、現場データ４２０に含まれる現場画像に、人物Ｍ２の画像が含まれている。そして、蓄積データ４１０は、人物Ｍ２に一致すると考えられる容疑者の個人データを含んでいる。即ち、指揮画面４００を見たサーバ１００の利用者は、現在ユーザＵ１の視界範囲に存在する人物Ｍ２が、犯罪の容疑者である可能性があることを把握することができる。なお、サーバ１００の利用者は、操作部１０４に適宜指示を入力することにより、指揮画面４００に表示される蓄積データ４１０、及び、現場データ４２０の内容を適宜切り替えることもできる。
【００７０】
このように、表示部１０２に指揮画面（図９参照）が表示されている間に、Ｓ５４において、サーバ１００の利用者は、操作部１０４を操作し、所定の報知開始指示を入力する。報知開始指示は、端末装置１０に特定の報知動作を実行させるための指示である。報知開始指示は、端末装置１０の表示部１２に表示させるべきメッセージ（例えば、ユーザＵ１への指示）、画像、テキスト等の内容を指定する指示も含んでもよい。
【００７１】
Ｓ５４で報知開始指示が入力されると、Ｓ５６において、サーバ１００の制御部１２０は、特定の実行指示を生成する。Ｓ５６で生成される特定の実行指示は、報知開始指示（Ｓ５４）が入力された際に指定されたメッセージ、画像、テキスト等を示すメッセージデータも含む。
【００７２】
次いで、Ｓ５８では、制御部１２０は、Ｓ５６で生成された特定の実行指示を、Ｗｉ−ＦｉＩ／Ｆ１０６を介して、Ｗｉ−Ｆｉ通信を利用して、端末装置１０に供給する。
【００７３】
端末装置１０の制御部２０は、Ｓ５８において、特定の実行指示を取得すると、Ｓ６０において、取得された特定の実行指示に従って、特定の報知動作を実行する。Ｓ６０における特定の報知動作も、特定の実行指示に含まれるメッセージデータによって表わされるメッセージ（即ち、対象情報の一部）を表示部１２に表示させること、その他の画像等を表示部１２に表示させること、所定の報知音をスピーカ３４から出力させること、及び、振動発生部３８に報知を示す振動を発生させること、を含む。ただし、本実施例では、特定の報知動作の内容は、第１の報知動作の内容と少なくとも一部が異なる。なお、他の例では、特定の報知動作の内容は、第１の報知動作の内容と同様であってもよい。Ｓ６０で特定の報知動作が行われることにより、ユーザＵ１は、サーバ１００の利用者が現場２００に関する何らかの指示を行ったことを把握することができる。また、ユーザＵ１は、表示部１２に表示されたメッセージ等を見ることにより、現場２００に関する情報、及び、サーバ１００の利用者によるユーザＵ１への指示の内容等を把握することができる。
【００７４】
図１０を参照して、Ｓ６０で実行される特定の報知動作の一例を説明する。図１０は、上述の図９の指揮画面４００の現場データ４２０に含まれる現場画像が生成された後のＳ６０の時点における、表示部１２越しのユーザＵ１の視界範囲５００を示す。図１０に示すように、視界範囲５００には、図９の現場データ４２０の現場画像と同様に人物Ｍ２が含まれている。図１０の視界範囲５００には、人物Ｍ２の顔の周囲を囲う枠画像５１０が表示されている。さらに、図１０の視界範囲５００には、メッセージ５２０が表示されている。メッセージ５２０は、人物Ｍ２の顔画像、名前、性別、身長、血液型、誕生日、容疑情報等、人物Ｍ２（即ち容疑者）の個人データを表わす。即ち、図１０の例では、Ｓ６０において、人物Ｍ２が容疑者であることを報知する特定の報知動作が行われていると言える。図１０では、制御部２０が、カメラ３６の撮影画像に基づいて、人物Ｍ２の顔の周囲に配置されるように表示位置を計算して、枠画像５１０を表示部１２に表示させることによって、視界範囲５００内に枠画像５１０を表示させている。枠画像５１０の表示位置等は、サーバ１００の利用者が報知開始指示を入力した際に指定されていてもよい。同様に、制御部２０が、カメラ３６の撮影画像に基づいて、人物Ｍ２の隣に配置されるように表示位置を計算して、メッセージ５２０を表示部１２に表示させることによって、視界範囲５００内にメッセージ５２０を表示させている。メッセージ５２０は、特定の実行指示に含まれるメッセージデータによって表わされる。メッセージ５２０は、サーバ１００の利用者が報知開始指示とともに入力したテキスト情報（例えば、ユーザＵ１への指示内容等）を含んでもよい。ユーザＵ１は、図１０に示されるように、視界範囲５００内に枠画像５１０及びメッセージ５２０が表示されることにより、視界範囲５００内に存在する人物Ｍ２が容疑者であることを把握することができる。また、サーバ１００の利用者によって入力されたユーザＵ１への指示内容等を把握することもできる。
【００７５】
制御部２０は、図８のＳ６０で特定の報知動作を所定期間行った後、特定の報知動作を終了する。
【００７６】
上記の通り、サーバ１００の制御部１２０は、サーバ１００が指揮モードで動作している間、利用者の指示に従って、指揮画面の表示（Ｓ５２）、特定の実行指示の生成（Ｓ５６）、及び、端末装置１０への特定の実行指示の供給（Ｓ５８）、の各処理を繰り返し実行する。
【００７７】
そして、端末装置１０の制御部２０は、指揮モードで動作中のサーバ１００から特定の実行指示を取得する場合に（Ｓ５８）、特定の実行指示に従って特定の報知動作を実行する（Ｓ６０）。
【００７８】
サーバ１００の利用者が、操作部１０４を操作して、所定の指揮モード指示を入力すると、サーバ１００の制御部１２０は、指揮モードを終了させる。その場合、図８の処理が終了する。
【００７９】
以上、本実施例の情報管理システム２の構成及び動作について説明した。上記の通り、本実施例では、端末装置１０は、ユーザＵ１の頭部に装着可能なフレーム１１に、表示部１２、操作部１４、制御部２０、メモリ２２、ＧＰＳ受信機２４、Ｗｉ−ＦｉＩ／Ｆ２６、センサ３０、マイク３２、スピーカ３４、カメラ３６、及び、振動発生部３８が備えられている（図２、図３参照）。そのため、フレーム１１を頭部に装着したユーザＵ１が現場２００に存在する場合において、制御部２０が、センサ３０、マイク３２、カメラ３６、及び、ＧＰＳ受信機２４から取得される各情報に基づいて現場情報を生成可能である（図５のＳ１０）とともに、表示部１２、スピーカ３４、及び、振動発生部３８が第１の報知動作を実行することができる（図５のＳ２２）。第１の報知動作が行われることにより、現場２００に存在するユーザＵ１が、当該現場２００において生成された現場情報に対応する対象情報が記憶装置に記憶されていることを把握することができる。さらに、フレーム１１は、ユーザＵ１の頭部に装着可能であるため（図１参照）、第１の報知動作が行われた時点で、ユーザＵ１が両手を現場情報の生成以外の用途のために使える可能性が高い。そのため、現場２００に存在するユーザＵ１（例えば警備担当者等）が、現場の状況に応じた必要な対応を適切に行い得る。
【００８０】
本実施例では、端末装置１０が実行する第１の報知動作（図５のＳ２２）は、第１の実行指示に含まれるメッセージデータによって表わされるメッセージ（即ち、対象情報の少なくとも一部）を表示部１２に表示させること、及び、その他の画像等を表示部１２に表示させることを含む（図７参照）。そのため、本実施例によると、フレーム１１を頭部に装着したユーザＵ１が、眼に対向する範囲に配置された表示部１２に表示されるメッセージ等を見ることにより、現場において生成された現場情報に対応する対象情報が記憶装置に記憶されていることを把握することができる。ユーザＵ１は、メッセージを見るために、視線を他の範囲（例えば手元）に移動させる必要もない。そのため、ユーザＵ１が、対象情報が記憶装置に記憶されていることを迅速に把握し得る。また、ユーザＵ１は、対象情報の少なくとも一部の内容も併せて把握することができる。現場に存在するユーザＵ１が、現場の状況に応じた必要な対応をより適切に行い得る。
【００８１】
また、本実施例では、サーバ１００の制御部１２０は、端末装置１０から取得された現場情報をデータベース１３０に記憶させる（図５のＳ１４）。そのため、本実施例では、データベース１３０には、現場２００において生成された様々な現場情報が蓄積され得る。データベース１３０に多くの情報を記憶させることができる。その結果、制御部１２０は、より多くの情報に基づいて、現場情報に対応する対象情報が記憶装置に記憶されているのか否かを適切に判断することができる（Ｓ１６）。
【００８２】
また、本実施例では、サーバ１００が指揮モードで動作する場合において、サーバ１００の制御部１２０は、操作部１４０に報知開始指示が入力される場合に（図８のＳ５４）、特定の実行指示を生成し（Ｓ５６）、端末装置１０に特定の実行指示を供給する（Ｓ５８）。そして、端末装置１０の制御部２０は、指揮モードで動作中のサーバ１００から特定の実行指示を取得する場合に（Ｓ５８）、特定の実行指示に従って特定の報知動作を実行する（Ｓ６０）。そのため、本実施例では、端末装置１０とサーバ１００とが離間して配置されている場合であっても、サーバ１００の利用者が、所望のタイミングで特定の報知開始指示を入力すれば、端末装置１０に特定の報知動作（Ｓ６０）を実行させることができる。端末装置１０が、サーバ１００の利用者によって適切に管理される。
【００８３】
本実施例では、現場情報は、カメラ３６によって撮影される現場画像（動画又は静止画）を含む。そのため、サーバ１００の制御部１２０は、現場画像に含まれる人、物、風景、等の画像に基づいて、対象情報がデータベース１３０に記憶されているのか否かを判断することができる（図５のＳ１６）。
【００８４】
また、本実施例では、現場情報は、マイク３２によって検出される現場２００の音声情報を含む。音声情報は、例えば、現場で発生する様々な音声（例えば、背景音、人の話し声等）を含む。そのため、サーバ１００の制御部１２０は、そのような様々な音声に基づいて、対象情報がデータベース１３０に記憶されているのか否かを判断することができる（図５のＳ１６）。
【００８５】
また、本実施例では、現場情報は、ＧＰＳ受信機２４によって生成される位置情報を含む。そのため、サーバ１００の制御部１２０は、位置情報によって表わされる端末装置１０の位置に基づいて、対象情報がデータベース１３０に記憶されているのか否かを判断することができる（図５のＳ１６）。
【００８６】
（対応関係）
カメラ３６、マイク３２、センサ３０、ＧＰＳ受信機２４、及び、制御部２０が「現場情報生成部」の一例である。表示部１２、スピーカ３４、及び、振動発生部３８が「報知部」の一例である。サーバ１００の制御部１２０が「制御部」の一例である。データベース１３０が「記憶装置」の一例である。図５のＳ１６でＹＥＳと判断されることが「第１の判断」の一例であり、図５のＳ１６でＮＯと判断されることが「第２の判断」の一例である。カメラ３６が「画像生成部」の一例であり、ＧＰＳ受信機２４が「位置情報生成部」の一例であり、マイク３２が「音声情報生成部」の一例である。
【００８７】
（第２実施例）
図１１を参照して、第２実施例について、第１実施例と異なる点を中心に説明する。図１１に示すように、本実施例では、通常時におけるサーバ１００の制御部１２０の処理の一部が第１実施例とは異なる。また、本実施例では、データベース１３０には、捜査情報に代えて、通行許可者の情報が記憶されている。
【００８８】
（通常時の処理；図１１）
図１１を参照して、本実施例において、通常時において、端末装置１０及びサーバ１００が実行する処理について説明する。本実施例でも、端末装置１０及びサーバ１００の電源がオンされると、図１１の処理が開始される。
【００８９】
Ｓ１１０、Ｓ１１２、Ｓ１１４の各処理は、図５のＳ１０、Ｓ１２、Ｓ１４の各処理と同様であるため、詳しい説明を省略する。
【００９０】
本実施例では、Ｓ１１６において、サーバ１００の制御部１２０が、データベース１３０内を参照し、Ｓ１１２で取得された現場情報に対応する対象情報が存在しないか否かを判断する。具体的に言うと、Ｓ１１６では、制御部１２０は、Ｓ１１２で取得された現場情報に含まれる現場画像、位置情報、センサ検出情報、音声情報等に基づいて、それらの各情報と一致する情報に対応付けられてデータベース１３０内に記憶されている情報（例えば、通行許可者（社員、家族、等）の個人データ等）が存在していないか否かを判断する。データベース１３０内にそのような情報（例えば、現場情報に対応する通行許可者の個人データ）が記憶されていない場合、制御部１２０は、Ｓ１１６でＹＥＳと判断し、Ｓ１１８に進む。本実施例では、Ｓ１１６でＹＥＳと判断された際に、データベース１３０内で発見されなかった情報のことを「対象情報」と呼ぶ。例えば、Ｓ１１２で取得された現場情報中の現場画像に人物の画像が含まれる場合において、その人物の画像と一致する人物の画像を含む通行許可者の個人データがデータベース１３０内に記憶されていなかった場合、制御部１２０は、Ｓ１１６でＹＥＳと判断する。この例では、Ｓ１１６でＹＥＳと判断される場合、現場画像に含まれる画像の人物が、通行許可者ではない人物（例えば不審者）であることを意味する。
【００９１】
一方、データベース１３０内にそのような対象情報（例えば、現場情報に対応する通行許可者の個人データ）が記憶されている場合には、制御部１２０は、Ｓ１１６でＮＯと判断し、Ｓ１２４に進む。例えば、Ｓ１１２で取得された現場情報中の現場画像に人物の画像が含まれる場合において、その人物の画像と一致する人物の画像を含む通行許可者の個人データがデータベース１３０内に記憶されていた場合、制御部１２０は、Ｓ１１６でＮＯと判断する。この例では、Ｓ１１６でＮＯと判断される場合、現場画像に含まれる画像の人物が、通行許可者であることを意味する。
【００９２】
Ｓ１１８では、制御部１２０は、第１の実行指示を生成する。Ｓ１１８の内容は、図５のＳ１８とほぼ同様である。Ｓ１１８で生成される第１の実行指示は、端末装置１０に、所定の第１の報知動作（例えば、不審者が近づいていることを報知する動作等）を実行させることを指示するコマンドである。Ｓ１１８で生成される第１の実行指示も、メッセージデータを含む。ただし、本実施例のメッセージデータは、対象情報（即ち、現場情報に対応する通行許可者の個人データ）を含んでいてもよいし、含んでいなくてもよい。
【００９３】
Ｓ１２０では、制御部１２０は、Ｓ１８で生成された第１の実行指示を、Ｗｉ−ＦｉＩ／Ｆ１０６を介して、Ｗｉ−Ｆｉ通信を利用して、端末装置１０に供給する。
【００９４】
端末装置１０の制御部２０は、Ｓ１２０において、第１の実行指示を取得すると、Ｓ２２において、取得された第１の実行指示に従って、第１の報知動作を実行する。本実施例では、Ｓ１２２で第１の報知動作が行われることにより、ユーザＵ１は、現場２００に関係する対象情報が存在しないこと（例えば、現場２００に不審者が近づいてきたこと）を把握することができる。本実施例でも、制御部２０は、Ｓ１２２で第１の報知動作を所定期間行った後、Ｓ１１０に戻る。
【００９５】
一方、Ｓ１２４（即ち、Ｓ１１６でＮＯと判断された場合）では、サーバ１００の制御部１２０は、第１の実行指示（Ｓ１１８参照）を生成しない。そのため、この場合、端末装置１０では、第１の報知動作は行われない。この場合も、制御部２０はＳ１１０に戻る。
【００９６】
上記の通り、本実施例でも、通常時において、端末装置１０の制御部２０は、定期的に現場情報を生成してサーバ１００に供給している（Ｓ１１０、Ｓ１１２参照）。そして、制御部２０は、現場情報をサーバ１００に供給した結果、サーバ１００から第１の実行指示を取得すると（Ｓ１２０）、取得された第１の実行指示に従って第１の報知動作を実行する（Ｓ１２２）。また、サーバ１００の制御部１２０は、定期的に端末装置１０から供給される現場情報を取得し（Ｓ１１２）、取得された現場情報をデータベース１３０に記憶させる（Ｓ１１４）。そして、制御部１２０は、データベース１３０内に対象情報が存在しないと判断される場合（Ｓ１１６でＹＥＳ）に、第１の実行指示を生成し（Ｓ１１８）、第１の実行指示を端末装置１０に供給する（Ｓ１２０）。このように、本実施例では、端末装置１０の制御部２０、及び、サーバ１００の制御部１２０は、図１１のＳ１１０〜Ｓ１２４の各処理を繰り返し実行している。
【００９７】
（対応関係）
図１１のＳ１１６でＹＥＳと判断されることが「第１の判断」の一例であり、図１１のＳ１１６でＮＯと判断されることが「第２の判断」の一例である。
【００９８】
（第３実施例）
第３実施例は、第１実施例の変形態様の一例である。図５を参照して、第３実施例について、第１実施例と異なる点を中心に説明する。図５に示すように、本実施例では、通常時における端末装置１０の制御部２０の処理、及び、サーバ１００の制御部１２０の処理の一部が第１実施例とは異なる。
【００９９】
（通常時の処理；図５）
Ｓ１０〜Ｓ１６までの各処理、及び、Ｓ１６でＹＥＳと判断された後のＳ１８〜Ｓ２２の各処理については、第１実施例と同様であるため、詳しい説明を省略する。図５に示すように、本実施例では、Ｓ１６でＮＯと判断された場合（即ち、サーバ１００の制御部１２０がデータベース１３０内に対象情報が存在しないと判断した場合）に、Ｓ２４に代えて、Ｓ３０〜Ｓ３４の各処理が実行される点が、第１実施例とは異なる。
【０１００】
Ｓ３０では、サーバ１００の制御部１２０は、第２の実行指示を生成する。Ｓ３０で生成される第２の実行指示も、端末装置１０に、所定の第２の報知動作を実行させることを指示するコマンドである。ただし、第２の報知動作の内容は、第１の報知動作の内容とは異なる。Ｓ３０で生成される第２の実行指示も、メッセージデータを含む。ただし、第２の実行指示に含まれるメッセージデータは、対象情報（即ち、容疑者の個人データに含まれる顔画像、テキストデータ等）を含んでいてもよいし、含んでいなくてもよい。第２の実行指示に含まれるメッセージデータは、対象情報の一部に代えて、例えば、容疑者ではない旨のメッセージを示すテキスト情報を含んでいてもよい。
【０１０１】
次いで、Ｓ３２では、制御部２０は、Ｓ３０で生成された第２の実行指示を、Ｗｉ−ＦｉＩ／Ｆ１０６を介して、Ｗｉ−Ｆｉ通信を利用して、端末装置１０に供給する。
【０１０２】
端末装置１０の制御部２０は、Ｓ３２において、第２の実行指示を取得すると、Ｓ３４において、取得された第２の実行指示に従って、第２の報知動作を実行する。第２の報知動作は、第２の実行指示に含まれるメッセージデータによって表わされるメッセージ（即ち、例えば、容疑者ではない旨を示すテキスト情報）を表示部１２に表示させること、その他の画像等を表示部１２に表示させること、所定の報知音をスピーカ３４から出力させること、及び、振動発生部３８に報知を示す振動を発生させること、を含む。上記の通り、Ｓ３４で実行される第２の報知動作の内容は、Ｓ２２で実行される第１の報知動作の内容とは異なる。Ｓ３４で第２の報知動作が行われることにより、ユーザＵ１は、現場２００に関係する対象情報が存在しないこと（例えば、この時点で、現場２００には、現場２００に関係する容疑者等が存在しないこと）を把握することができる。
【０１０３】
本実施例によると、端末装置１０は、図５のＳ３２で第２の実行指示を取得すると、Ｓ３４において、取得された第２の実行指示に従って、第２の報知動作を実行する。Ｓ３４で第２の報知動作が行われることにより、ユーザＵ１は、現場２００に関係する対象情報が存在しないこと（例えば、この時点で、現場２００には、現場２００に関係する容疑者等が存在しないこと）を把握することができる。そのため、現場２００に存在するユーザＵ１が、現場２００の状況に応じた必要な対応をより適切に行い得る。
【０１０４】
（第４実施例）
第４実施例は、第２実施例の変形態様の一例である。図１１を参照して、第４実施例について、第２実施例と異なる点を中心に説明する。図１１に示すように、本実施例でも、通常時における端末装置１０の制御部２０の処理、及び、サーバ１００の制御部１２０の処理の一部が第２実施例とは異なる。
【０１０５】
（通常時の処理；図１１）
Ｓ１１０〜Ｓ１１６までの各処理、及び、Ｓ１１６でＹＥＳと判断された後のＳ１１８〜Ｓ１２２の各処理については、第２実施例と同様であるため、詳しい説明を省略する。図１１に示すように、本実施例では、Ｓ１１６でＮＯと判断された場合（即ち、サーバ１００の制御部１２０がデータベース１３０内に対象情報が存在すると判断した場合）に、Ｓ１２４に代えて、Ｓ１３０〜Ｓ１３４の各処理が実行される点が、第２実施例とは異なる。
【０１０６】
Ｓ１３０では、サーバ１００の制御部１２０は、第２の実行指示を生成する。Ｓ１３０で生成される第２の実行指示も、端末装置１０に、所定の第２の報知動作を実行させることを指示するコマンドである。ただし、本実施例でも、第２の報知動作の内容は、第１の報知動作の内容とは異なる。Ｓ１３０で生成される第２の実行指示も、メッセージデータを含む。ただし、本実施例でも、第２の実行指示に含まれるメッセージデータは、対象情報（例えば、現場情報に対応する通行許可者の個人データ）を含んでいてもよいし、含んでいなくてもよい。第２の実行指示に含まれるメッセージデータは、対象情報の一部に代えて、例えば、通行を許可する旨のメッセージを示すテキスト情報を含んでいてもよい。
【０１０７】
次いで、Ｓ１３２では、制御部２０は、Ｓ３０で生成された第２の実行指示を、Ｗｉ−ＦｉＩ／Ｆ１０６を介して、Ｗｉ−Ｆｉ通信を利用して、端末装置１０に供給する。
【０１０８】
端末装置１０の制御部２０は、Ｓ１３２において、第２の実行指示を取得すると、Ｓ１３４において、取得された第２の実行指示に従って、第２の報知動作を実行する。第２の報知動作は、第２の実行指示に含まれるメッセージデータによって表わされるメッセージ（即ち、例えば、通行を許可する旨を示すテキスト情報）を表示部１２に表示させること、その他の画像等を表示部１２に表示させること、所定の報知音をスピーカ３４から出力させること、及び、振動発生部３８に報知を示す振動を発生させること、を含む。上記の通り、Ｓ１３４で実行される第２の報知動作の内容は、Ｓ１２２で実行される第１の報知動作の内容とは異なる。Ｓ１３４で第２の報知動作が行われることにより、ユーザＵ１は、現場２００に関係する対象情報が存在すること（例えば、現場２００には通行許可者が存在すること）を把握することができる。
【０１０９】
本実施例によると、端末装置１０は、図１１のＳ１３２で第２の実行指示を取得すると、Ｓ１３４において、取得された第２の実行指示に従って、第２の報知動作を実行する。Ｓ１３４で第２の報知動作が行われることにより、ユーザＵ１は、現場２００に関係する対象情報が存在すること（例えば、現場２００に通行許可者が存在すること）を把握することができる。そのため、現場２００に存在するユーザＵ１が、現場２００の状況に応じた必要な対応をより適切に行い得る。
【０１１０】
以上、実施例を詳細に説明したが、これらは例示に過ぎず、請求の範囲を限定するものではない。請求の範囲に記載の技術には、以上に例示した具体例を様々に変形、変更したものが含まれる。例えば、以下の変形例を採用してもよい。
【０１１１】
（変形例１）情報管理システム２は、端末装置１０のみを備え、サーバ１００を備えていなくてもよい。即ち、本変形例では、端末装置１０が、上記の各実施例の端末装置１０の機能とサーバ１００の機能の両方を発揮してもよい。この場合、端末装置１０のメモリ２２にデータベース１３０が記憶されていてもよい。そして、制御部２０は、生成した現場情報に対応する対象情報がデータベース１３０内に記憶されているか否か（又は、記憶されていないか否か）を判断し、その判断結果に応じて、第１、第２の報知動作を行うようにしてもよい。本変形例では、制御部２０が「制御部」の一例である。
【０１１２】
（変形例２）上記の第１〜第４実施例では、サーバ１００のメモリ１２２内にデータベース１３０が記憶されている。これに限られず、データベース１３０は、サーバ１００とは別個の記憶装置として構成されていてもよい。この場合、サーバ１００の制御部１２０は、インターネット４を介して、サーバ１００外に設けられたデータベース１３０にアクセスしてもよい。
【０１１３】
（変形例３）上記の第１〜第４実施例では、表示部１２は、透光性のディスプレイであり、ユーザＵ１がフレーム１１を頭部に装着した場合に、ユーザＵ１の眼に対向する範囲に備えられる。これに限られず、表示部１２は、遮光性の表示部材であってもよい。その場合、制御部２０は、カメラ３６の撮影画像を表示部１２に表示させることにより、ユーザＵ１に周囲の様子を視認させるようにしてもよい。
【０１１４】
（変形例４）端末装置１０は、カメラ３６、マイク３２、センサ３０、ＧＰＳ受信機２４のうちのいずれか１個以上を有していれば、他の１個以上を省略してもよい。即ち、現場情報は、現場画像、音声情報、位置情報、センサ検出情報のうちのいずれか１個以上を含んでいればよい。
【０１１５】
（変形例５）報知動作（即ち、第１の報知動作、第２の報知動作、及び、特定の報知動作）の内容は、上記の第１〜第４実施例で説明したものには限られず、任意の内容であってもよい。例えば、振動発生部３８による振動の発生、スピーカ３４からの音声の発生のうちの一方又は双方が省略されてもよい。また、表示部１２にメッセージが表示されなくてもよい。表示部１２の表示色が変化することで報知動作（即ち、第１の報知動作、第２の報知動作、及び、特定の報知動作）が行われてもよい。
【０１１６】
（変形例６）上記の第１〜第４実施例では、端末装置１０は、略眼鏡状のフレーム１１を有しており、眼鏡を装着するようにユーザＵ１の頭部に装着可能なものである。これに限られず、端末装置は、ユーザの頭部に装着可能であれば、帽子状、ヘルメット状等、任意のフレームを有していてもよい。
【０１１７】
（変形例７）上記の通り、図１の例では、サーバ１００と通信可能な１個の端末装置１０のみが図示されているが、実際の情報管理システム２では、サーバ１００と通信可能な複数個の端末装置が備えられていてもよい。その場合、複数個の端末装置のそれぞれが、異なるユーザの頭部に装着されていてもよい。さらに、複数個の端末装置のうちのいずれか１個の端末装置において報知動作が行われるべきタイミングにおいて、複数個の端末装置のすべてにおいて、共通の報知動作（即ち、第１の報知動作、第２の報知動作、及び、特定の報知動作）を行わせるようにしてもよい。
【０１１８】
（変形例８）上記の変形例７において、さらに、複数個の端末装置のうちのいずれか１個の端末装置において報知動作が行われるべきタイミングにおいて、複数個の端末装置の一部の端末装置のみにおいて、共通の報知動作（即ち、第１の報知動作、第２の報知動作、及び、特定の報知動作）を行わせるようにしてもよい。その場合、特定の端末装置は、現場情報をサーバ１００に供給した端末装置を含んでもよいし、含まなくてもよい。
【０１１９】
（変形例９）また、情報管理システムは、複数個の端末装置によってのみ構成され、サーバを備えていなくてもよい。この場合、例えば、複数個の端末装置のうちのいずれか１個の端末装置が生成した現場情報に対応する対象情報が、自身が記憶するデータベース内に存在するか否か（又は、存在しないか否か）を判断し、その判断結果に応じて、他の端末装置に実行指示を送信し、他の端末装置は、取得された実行指示に応じて、報知動作（即ち、第１の報知動作、第２の報知動作、及び、特定の報知動作）を行うようにしてもよい。また、本変形例において、いずれか１個の端末装置が生成した現場情報に対応する対象情報を他の端末装置に供給し、他の端末装置が、取得された対象情報が、自身が記憶するデータベース内に存在するか否か（又は、存在しないか否か）を判断し、その判断結果に応じて、他の端末装置が、報知動作を行うようにしてもよい。すなわち、情報管理システムを構成する複数個の端末装置のうち、どちらが現場情報を生成するか、どちらがデータベースを持っていて記憶されているか否かを判断するか、どちらが報知動作を行うかについては、どのような組み合わせであってもよいし、複数個の端末装置のそれぞれが行ってもよい。端末装置は複数個であれば任意の数（例えば３個以上）であってもよい。
【０１２０】
また、本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成するものであり、そのうちの一つの目的を達成すること自体で技術的有用性を持つものである。
【図１】
2019186977.tif 000003
【図２】
2019186977.tif 000004
【図３】
2019186977.tif 000005
【図４】
2019186977.tif 000006
【図５】
2019186977.tif 000007
【図６】
2019186977.tif 000008
【図７】
2019186977.tif 000009
【図８】
2019186977.tif 000010
【図９】
2019186977.tif 000011
【図１０】
2019186977.tif 000012
【図１１】
2019186977.tif 000013
【国際調査報告】
2019186977.tif 000014
2019186977.tif 000015
2019186977.tif 000016